(57)【特許請求の範囲】
【請求項１】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを有した電子商取引システムであって、
前記ＰＯＳ代行サービスシステムは、
前記携帯端末装置からのアクセス要求に基づいて、前記店舗において販売されている前記商品の商品情報を含む購入手続き情報を前記携帯端末装置へ出力する購入手続き情報出力手段と、
前記携帯端末装置から送信された購入商品の注文情報及び前記商品購入者の識別情報を受け付ける注文受付手段と、
前記注文受付手段によって受け付けた前記購入商品の注文情報及び前記商品購入者の識別情報とともに、前記商品購入者の与信確認要求を前記通信キャリア決済システムへ出力する与信確認要求手段と、
前記与信確認要求手段によって要求された与信確認の結果情報に基づいて、前記購入商品の受注情報を前記携帯端末装置へ出力する受注確認手段と、
前記与信確認要求手段によって要求された与信確認の結果情報に基づいて、前記購入商品の発注情報を前記店舗用端末装置へ出力する発注確認手段と、
前記購入商品の注文情報及び前記商品購入者の識別情報に基づいて、前記店舗の商品の販売情報及び前記商品購入者の識別情報の管理及び分析を実行するＰＯＳ代行手段と、
を備え、
前記店舗用端末装置は、
前記購入商品の発注情報を出力する発注情報出力手段を備え、
前記携帯端末装置は、
前記店舗の前記商品情報の出力を前記ＰＯＳ代行サービスシステムへ要求するサイトアクセス手段と、
前記購入手続き情報を出力するとともに、出力された前記購入手続き情報に基づいて入力された購入商品の注文情報、及び前記商品購入者の識別情報を前記ＰＯＳ代行サービスシステムへ送信する注文手段と、
前記購入商品の受注情報を出力する受注情報出力手段と、
を備え、
前記通信キャリア決済システムは、
前記購入商品の注文情報及び前記商品購入者の識別情報に基づいて、前記商品購入者の与信確認を実行し、与信確認の結果情報を前記ＰＯＳ代行サービスシステムへ出力する与信確認結果出力手段と、
前記購入商品の注文情報及び前記商品購入者の識別情報に基づいて、前記購入商品の料金を前記通信料金に課金して、前記購入商品の料金の決済を実行する決済手段と、
を備えていることを特徴とする電子商取引システム。
【請求項２】
前記発注情報には、前記店舗の所定の第１のルールに基づいて、前記商品購入者と前記購入商品とを対応付けることが可能な、前記商品購入者を特定する購入者特定情報が含まれていることを特徴とする請求項１に記載の電子商取引システム。
【請求項３】
前記ＰＯＳ代行サービスシステムは、
更に、前記携帯端末装置からの要求に基づいて、前記購入商品のレシート及び領収書の少なくとも１つのレシート出力情報とともに、前記購入商品のレシート及び領収書の少なくとも１つの出力を前記店舗用端末装置へ要求するレシート処理手段を備え、
前記携帯端末装置は、
更に、前記購入商品のレシート及び領収書の少なくとも１つの出力を前記ＰＯＳ代行サービスシステムへ要求するレシート要求手段を備え、
前記店舗用端末装置は、
更に、前記レシート出力情報に基づいて、前記購入商品のレシート及び領収書の少なくとも１つを出力するレシート出力手段を備えていることを特徴とする請求項１又は２に記載の電子商取引システム。
【請求項４】
前記ＰＯＳ代行サービスシステムの前記ＰＯＳ代行手段は、前記識別情報及び前記店舗の所定の第２のルールに基づいて、前記商品情報を生成することを特徴とする請求項１から３のいずれか１項に記載の電子商取引システム。
【請求項５】
前記ＰＯＳ代行サービスシステムは、
更に、前記店舗用端末装置からの要求に基づいて、前記店舗の商品の販売情報、前記商品購入者の識別情報及び分析した結果情報を、前記店舗用端末装置へ出力する販売分析手段を備え、
前記店舗用端末装置は、
更に、前記店舗の商品の販売情報、前記商品購入者の識別情報及び分析した結果情報の出力を前記ＰＯＳ代行サービスシステムへ要求する販売分析要求手段と、
前記ＰＯＳ代行サービスシステムより入力した前記店舗の商品の販売情報、前記商品購入者の識別情報及び分析した結果情報を出力する販売分析出力手段と、
を備えていることを特徴とする請求項１から４のいずれか１項に記載の電子商取引システム。
【請求項６】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを有した電子商取引システムであって、
前記ＰＯＳ代行サービスシステムは、
前記携帯端末装置からのアクセス要求に基づいて、前記店舗において販売されている前記商品の商品情報を含む購入手続き情報を前記携帯端末装置へ出力する購入手続き情報出力手段と、
前記携帯端末装置から送信された購入商品の注文情報及び前記商品購入者の識別情報を受け付ける注文受付手段と、
前記注文受付手段によって受け付けた前記購入商品の注文情報及び前記商品購入者の識別情報とともに、前記商品購入者の与信確認要求を前記通信キャリア決済システムへ出力する与信確認要求手段と、
を備え、
前記携帯端末装置は、
前記店舗の前記商品情報の出力を前記ＰＯＳ代行サービスシステムへ要求するサイトアクセス手段と、
前記購入手続き情報を出力するとともに、出力された前記購入手続き情報に基づいて入力された購入商品の注文情報、及び前記商品購入者の識別情報を前記ＰＯＳ代行サービスシステムへ送信する注文手段と、
を備え、
前記通信キャリア決済システムは、
前記購入商品の注文情報及び前記商品購入者の識別情報に基づいて、前記商品購入者の与信確認を実行し、与信確認の結果情報を前記ＰＯＳ代行サービスシステムへ出力する与信確認結果出力手段と、
前記購入商品の注文情報及び前記商品購入者の識別情報に基づいて、前記購入商品の料金を前記通信料金に課金して、前記購入商品の料金の決済を実行する決済手段と、
を備えていることを特徴とする電子商取引システム。
【請求項７】
店舗に備えられている店舗用端末装置、前記店舗において販売されている商品の商品購入者が利用する無線通信可能な携帯端末装置、及び前記携帯端末装置の通信料金を決済する通信キャリア決済システムと、通信ネットワークを介して通信可能なＰＯＳ代行サービスシステムであって、
前記携帯端末装置からのアクセス要求に基づいて、前記店舗において販売されている前記商品の商品情報を含む購入手続き情報を前記携帯端末装置へ出力する購入手続き情報出力手段と、
前記携帯端末装置から送信された購入商品の注文情報及び前記商品購入者の識別情報を受け付ける注文受付手段と、
前記注文受付手段によって受け付けた前記購入商品の注文情報及び前記商品購入者の識別情報とともに、前記商品購入者の与信確認要求を前記通信キャリア決済システムへ出力する与信確認要求手段と、
前記与信確認要求手段によって要求された与信確認の結果情報に基づいて、前記購入商品の受注情報を前記携帯端末装置へ出力する受注確認手段と、
前記与信確認要求手段によって要求された与信確認の結果情報に基づいて、前記購入商品の発注情報を前記店舗用端末装置へ出力する発注確認手段と、
前記購入商品の注文情報及び前記商品購入者の識別情報に基づいて、前記店舗の商品の販売情報及び前記商品購入者の識別情報の管理及び分析を実行するＰＯＳ代行手段と、
を備えていることを特徴とするＰＯＳ代行サービスシステム。
【請求項８】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引方法であって、
前記店舗の前記商品情報の出力を前記携帯端末装置から前記ＰＯＳ代行サービスシステムへ要求するサイトアクセス工程と、
前記携帯端末装置からのアクセス要求に基づいて、前記店舗において販売されている前記商品の商品情報を含む購入手続き情報を前記ＰＯＳ代行サービスシステムから前記携帯端末装置へ出力する購入手続き情報出力工程と、
前記購入手続き情報を出力するとともに、出力された前記購入手続き情報に基づいて入力された購入商品の注文情報、及び前記商品購入者の識別情報を、前記携帯端末装置から前記ＰＯＳ代行サービスシステムへ送信する注文工程と、
注文送信工程によって送信された前記注文情報及び前記識別情報を、前記ＰＯＳ代行サービスシステムが受け付ける注文受付工程と、
前記購入商品の注文情報及び前記商品購入者の識別情報とともに、前記商品購入者の与信確認要求を、前記ＰＯＳ代行サービスシステムから前記通信キャリア決済システムへ出力する与信確認要求工程と、
前記購入商品の注文情報及び前記商品購入者の識別情報に基づいて、前記商品購入者の与信確認を実行し、与信確認の結果情報を前記通信キャリア決済システムから前記ＰＯＳ代行サービスシステムへ出力する与信確認結果出力工程と、
前記与信確認の結果情報に基づいて、前記購入商品の受注情報を前記ＰＯＳ代行サービスシステムから前記携帯端末装置へ出力する受注確認工程と、
前記購入商品の受注情報を前記携帯端末装置が出力する受注情報出力工程と、
前記与信確認の結果情報に基づいて、前記購入商品の発注情報を前記ＰＯＳ代行サービスシステムから前記店舗用端末装置へ出力する発注確認工程と、
前記購入商品の発注情報を前記店舗用端末装置が出力する発注情報出力工程と、
前記購入商品の注文情報及び前記商品購入者の識別情報に基づいて、前記店舗の商品の販売情報及び前記商品購入者の識別情報の管理及び分析を実行するＰＯＳ代行工程と、
前記購入商品の注文情報及び前記商品購入者の識別情報に基づいて、前記購入商品の料金を前記通信料金に課金して、前記購入商品の料金の決済を実行する決済工程と、
を備えていることを特徴とする電子商取引方法。
【請求項９】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引方法であって、
前記店舗の前記商品情報の出力を前記携帯端末装置から前記ＰＯＳ代行サービスシステムへ要求するサイトアクセス工程と、
前記携帯端末装置からのアクセス要求に基づいて、前記店舗において販売されている前記商品の商品情報を含む購入手続き情報を前記ＰＯＳ代行サービスシステムから前記携帯端末装置へ出力する購入手続き情報出力工程と、
前記購入手続き情報を出力するとともに、出力された前記購入手続き情報に基づいて入力された購入商品の注文情報、及び前記商品購入者の識別情報を、前記携帯端末装置から前記ＰＯＳ代行サービスシステムへ送信する注文工程と、
注文送信工程によって送信された前記注文情報及び前記識別情報を、前記ＰＯＳ代行サービスシステムが受け付ける注文受付工程と、
前記購入商品の注文情報及び前記商品購入者の識別情報とともに、前記商品購入者の与信確認要求を、前記ＰＯＳ代行サービスシステムから前記通信キャリア決済システムへ出力する与信確認要求工程と、
前記購入商品の注文情報及び前記商品購入者の識別情報に基づいて、前記商品購入者の与信確認を実行し、与信確認の結果情報を前記通信キャリア決済システムから前記ＰＯＳ代行サービスシステムへ出力する与信確認結果出力工程と、
前記購入商品の注文情報及び前記商品購入者の識別情報に基づいて、前記購入商品の料金を前記通信料金に課金して、前記購入商品の料金の決済を実行する決済工程と、
を備えていることを特徴とする電子商取引方法。
【請求項１０】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引の処理をコンピュータに実行させるプログラムであって、
請求項１から６のいずれか１項に記載の電子商取引システムの各手段を実現させる処理を前記コンピュータに実行させるプログラム。
【発明の詳細な説明】
【技術分野】
【０００１】
本発明は、電子商取引システム、ＰＯＳ代行サービスシステム、電子商取引方法及びプログラムに関する。特に、店舗に備えられている店舗用端末装置にＰＯＳ機能を持たせず、店舗において販売される商品の商品情報を提供するとともに店舗のＰＯＳ機能を代行して実行するＰＯＳ代行サービスシステム、ＰＯＳ代行サービスシステムを利用して、ＰＯＳ代行サービスシステムへ携帯電話等の無線通信可能な携帯端末装置からアクセスして、購入商品を注文し、購入商品の料金を携帯端末装置の通信料金に課金することにより決済する電子商取引システム、電子商取引方法及びプログラムに関する。
【背景技術】
【０００２】
商品を購入したりサービスを享受したりする決済システムには、商品の購入やサービスの享受の前に、予め、ＩＣカード、携帯電話等に電子バリューを蓄積させておき、支払いの時に、このＩＣカード、携帯電話等に蓄積された電子バリューを利用して決済を行う方法や、クレジットカード等を利用して信用に基づいて商品の購入やサービスの享受を実行し、その後に決済を行う方法等が提案されている。
【０００３】
特許文献１の発明では、ＰＨＳ端末等の移動無線電話端末内に電子バリューを収容可能な財布の機能を持たせ、無線回線を介して支払い元から財布の機能に電子バリューを充填させ、あるいは財布の機能から支払い先に電子バリューを支払うようにする方法が提案されている。
【０００４】
【特許文献１】特開平１１−１８４９４７号公報
【発明の開示】
【発明が解決しようとする課題】
【０００５】
上述したＩＣカード、携帯電話等に蓄積された電子バリューを利用して決済を行う方法には、電子バリューを受け取る装置を設置している店舗や、電子バリューを蓄積可能なＩＣカード、携帯電話等や、ＩＣカード、携帯電話等に電子バリューを蓄積させる装置や、電子バリューを介して決済可能なシステム等のインフラ設備が必要である。
【０００６】
しかしながら、消費者は、現在使用している携帯電話等に電子バリューを蓄積させる機能が付加されていない場合、電子バリューを蓄積可能な携帯電話等に買い換えなければならないという問題点があった。また、店舗は、新たに電子バリューを受け取る装置を設置するとともに、設置した装置を利用可能なＰＯＳシステムを構築しなければならないという問題点もあった。
【０００７】
本発明は、以上のような問題点を解決するためになされたもので、店舗に備えられている店舗用端末装置にＰＯＳ機能を持たせず、店舗において販売される商品の商品情報を提供するとともに店舗のＰＯＳ機能を代行して実行するＰＯＳ代行サービスシステム、ＰＯＳ代行サービスシステムを利用して、ＰＯＳ代行サービスシステムへ携帯電話等の無線通信可能な携帯端末装置からアクセスして、購入商品を注文し、購入商品の料金を携帯端末装置の通信料金に課金することにより決済する電子商取引システム、電子商取引方法及びプログラムを提供することを目的とする。
【課題を解決するための手段】
【０００８】
上述した従来の問題点を解決すべく下記の発明を提供する。
【０００９】
本発明の第１の態様にかかる電子商取引システムは、通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを有した電子商取引システムであって、前記ＰＯＳ代行サービスシステムは、前記携帯端末装置からのアクセス要求に基づいて、前記店舗において販売されている前記商品の商品情報を含む購入手続き情報を前記携帯端末装置へ出力する購入手続き情報出力手段と、前記携帯端末装置から送信された購入商品の注文情報及び前記商品購入者の識別情報を受け付ける注文受付手段と、前記注文受付手段によって受け付けた前記購入商品の注文情報及び前記商品購入者の識別情報とともに、前記商品購入者の与信確認要求を前記通信キャリア決済システムへ出力する与信確認要求手段と、前記与信確認要求手段によって要求された与信確認の結果情報に基づいて、前記購入商品の受注情報を前記携帯端末装置へ出力する受注確認手段と、前記与信確認要求手段によって要求された与信確認の結果情報に基づいて、前記購入商品の発注情報を前記店舗用端末装置へ出力する発注確認手段と、前記購入商品の注文情報及び前記商品購入者の識別情報に基づいて、前記店舗の商品の販売情報及び前記商品購入者の識別情報の管理及び分析を実行するＰＯＳ代行手段と、を備え、前記店舗用端末装置は、前記購入商品の発注情報を出力する発注情報出力手段を備え、前記携帯端末装置は、前記店舗の前記商品情報の出力を前記ＰＯＳ代行サービスシステムへ要求するサイトアクセス手段と、前記購入手続き情報を出力するとともに、出力された前記購入手続き情報に基づいて入力された購入商品の注文情報、及び前記商品購入者の識別情報を前記ＰＯＳ代行サービスシステムへ送信する注文手段と、前記購入商品の受注情報を出力する受注情報出力手段と、を備え、前記通信キャリア決済システムは、前記購入商品の注文情報及び前記商品購入者の識別情報に基づいて、前記商品購入者の与信確認を実行し、与信確認の結果情報を前記ＰＯＳ代行サービスシステムへ出力する与信確認結果出力手段と、前記購入商品の注文情報及び前記商品購入者の識別情報に基づいて、前記購入商品の料金を前記通信料金に課金して、前記購入商品の料金の決済を実行する決済手段と、を備えていることを特徴とする。
【００１０】
この構成によると、電子商取引システムは、携帯端末装置のサイトアクセス手段によって、店舗の商品情報の出力がＰＯＳ代行サービスシステムへ要求され、ＰＯＳ代行サービスシステムの購入手続き情報出力手段によって、携帯端末装置からのアクセス要求に基づいて、店舗において販売されている商品の商品情報を含む購入手続き情報が携帯端末装置へ出力される。また、携帯端末装置の注文手段によって、購入手続き情報を出力するとともに、出力された購入手続き情報に基づいて入力された購入商品の注文情報、及び商品購入者の識別情報がＰＯＳ代行サービスシステムへ送信され、ＰＯＳ代行サービスシステムの注文受付手段によって、携帯端末装置から送信された購入商品の注文情報及び商品購入者の識別情報が受け付けられる。
【００１１】
また、ＰＯＳ代行サービスシステムの与信確認要求手段によって、注文受付手段によって受け付けた購入商品の注文情報及び商品購入者の識別情報とともに、商品購入者の与信確認要求が通信キャリア決済システムへ出力され、通信キャリア決済システムの与信確認結果出力手段によって、購入商品の注文情報及び商品購入者の識別情報に基づいて、商品購入者の与信確認が実行され、与信確認の結果情報がＰＯＳ代行サービスシステムへ出力される。また、ＰＯＳ代行サービスシステムの受注確認手段によって、与信確認要求手段によって要求された与信確認の結果情報に基づいて、購入商品の受注情報が携帯端末装置へ出力され、携帯端末装置の受注情報出力手段によって、購入商品の受注情報が出力される。
【００１２】
また、ＰＯＳ代行サービスシステムの発注確認手段によって、与信確認要求手段によって要求された与信確認の結果情報に基づいて、購入商品の発注情報が店舗用端末装置へ出力され、店舗用端末装置の発注情報出力手段によって、購入商品の発注情報が出力される。また、ＰＯＳ代行サービスシステムのＰＯＳ代行手段によって、購入商品の注文情報及び商品購入者の識別情報に基づいて、店舗の商品の販売情報及び商品購入者の識別情報の管理及び分析が実行される。また、通信キャリア決済システムの決済手段によって、購入商品の注文情報及び商品購入者の識別情報に基づいて、購入商品の料金を通信料金に課金して、購入商品の料金の決済が実行される。
【００１３】
これにより、店舗は、電子バリューを受け取る装置を設置するとともに、設置した装置を利用可能なＰＯＳシステムや、既存のＰＯＳシステムを利用する必要がなくなり、ＰＯＳシステムの構築及び運用に掛かるコストを削減することが可能である。また、店舗は、店舗の商品の販売情報及び商品購入者の識別情報の管理及び分析を代行して専門的に実行してもらうことにより、きめ細かな顧客サービスを実行することが可能である。また、店舗は、代金不払い等のリスクを負うことなく、商品の販売収入を確実に得ることが可能である。また、商品購入者は、電子バリューを蓄積可能な携帯電話等に限定することなく、現在使用の携帯電話等を利用して、商品を購入することが可能である。
【００１４】
本発明の他の態様にかかる電子商取引システムは、上述した前記発注情報には、前記店舗の所定の第１のルールに基づいて、前記商品購入者と前記購入商品とを対応付けることが可能な、前記商品購入者を特定する購入者特定情報が含まれていることを特徴とする。
【００１５】
これにより、店舗は、商品購入者に購入した商品を確実に渡すことが可能となる。例えば、飲食店において、第１のルールとして、「商品購入者が座ったテーブルのテーブル番号を購入者特定情報とする」ことによって、注文した商品を、商品購入者に渡すことが可能となる。
【００１６】
本発明の他の態様にかかる電子商取引システムは、上述した本発明の態様にかかる電子商取引システムの前記ＰＯＳ代行サービスシステムが、更に、前記携帯端末装置からの要求に基づいて、前記購入商品のレシート及び領収書の少なくとも１つのレシート出力情報とともに、前記購入商品のレシート及び領収書の少なくとも１つの出力を前記店舗用端末装置へ要求するレシート処理手段を備え、前記携帯端末装置が、更に、前記購入商品のレシート及び領収書の少なくとも１つの出力を前記ＰＯＳ代行サービスシステムへ要求するレシート要求手段を備え、前記店舗用端末装置が、更に、前記レシート出力情報に基づいて、前記購入商品のレシート及び領収書の少なくとも１つを出力するレシート出力手段を備えていることを特徴とする。
【００１７】
この構成によると、電子商取引システムは、携帯端末装置のレシート要求手段によって、購入商品のレシート及び領収書の少なくとも１つの出力がＰＯＳ代行サービスシステムへ要求され、ＰＯＳ代行サービスシステムのレシート処理手段によって、携帯端末装置からの要求に基づいて、購入商品のレシート及び領収書の少なくとも１つのレシート出力情報とともに、購入商品のレシート及び領収書の少なくとも１つの出力が店舗用端末装置へ要求され、店舗用端末装置のレシート出力手段によって、レシート出力情報に基づいて、購入商品のレシート及び領収書の少なくとも１つが出力される。
【００１８】
これにより、店舗は、既存のＰＯＳシステムを利用する必要がなくなり、ＰＯＳシステムの構築及び運用に掛かるコストを削減することが可能である。また、店舗において、商品購入者の要望によりレシート及び領収書の少なくとも１つを提供することが可能である。
【００１９】
本発明の他の態様にかかる電子商取引システムは、上述した前記ＰＯＳ代行サービスシステムの前記ＰＯＳ代行手段が、前記識別情報及び前記店舗の所定の第２のルールに基づいて、前記商品情報を生成することを特徴とする。
【００２０】
これにより、店舗は、店舗の商品の販売情報及び商品購入者の識別情報の管理及び分析を代行して専門的に実行してもらうことにより、きめ細かな顧客サービスを実行することが可能である。例えば、第２のルールとして、「商品購入回数がｎ回以上の顧客に対して、料金をｍ％割り引いたサービス価格で商品を提供する」こととしたときに、第２のルールに基づいた商品情報を、商品購入回数がｎ回以上の顧客に対して提供することが可能となる。
【００２１】
本発明の他の態様にかかる電子商取引システムは、上述した本発明の態様にかかる電子商取引システムの前記ＰＯＳ代行サービスシステムが、更に、前記店舗用端末装置からの要求に基づいて、前記店舗の商品の販売情報、前記商品購入者の識別情報及び分析した結果情報を、前記店舗用端末装置へ出力する販売分析手段を備え、前記店舗用端末装置が、更に、前記店舗の商品の販売情報、前記商品購入者の識別情報及び分析した結果情報の出力を前記ＰＯＳ代行サービスシステムへ要求する販売分析要求手段と、前記ＰＯＳ代行サービスシステムより入力した前記店舗の商品の販売情報、前記商品購入者の識別情報及び分析した結果情報を出力する販売分析出力手段と、を備えていることを特徴とする。
【００２２】
この構成によると、電子商取引システムは、店舗用端末装置の販売分析要求手段によって、店舗の商品の販売情報、商品購入者の識別情報及び分析した結果情報の出力がＰＯＳ代行サービスシステムへ要求され、ＰＯＳ代行サービスシステムの販売分析手段によって、店舗の商品の販売情報、商品購入者の識別情報及び分析した結果情報が、店舗用端末装置へ出力され、店舗用端末装置の販売分析出力手段によって、ＰＯＳ代行サービスシステムより入力した店舗の商品の販売情報、商品購入者の識別情報及び分析した結果情報が出力される。
【００２３】
これにより、店舗は、店舗の商品の販売情報及び商品購入者の識別情報の管理及び分析を店舗自身で実行することが可能となり、店舗特有の顧客サービスを実行することが可能である。
【００２４】
本発明の第１の態様にかかるＰＯＳ代行サービスシステムは、店舗に備えられている店舗用端末装置、前記店舗において販売されている商品の商品購入者が利用する無線通信可能な携帯端末装置、及び前記携帯端末装置の通信料金を決済する通信キャリア決済システムと、通信ネットワークを介して通信可能なＰＯＳ代行サービスシステムであって、前記携帯端末装置からのアクセス要求に基づいて、前記店舗において販売されている前記商品の商品情報を含む購入手続き情報を前記携帯端末装置へ出力する購入手続き情報出力手段と、前記携帯端末装置から送信された購入商品の注文情報及び前記商品購入者の識別情報を受け付ける注文受付手段と、前記注文受付手段によって受け付けた前記購入商品の注文情報及び前記商品購入者の識別情報とともに、前記商品購入者の与信確認要求を前記通信キャリア決済システムへ出力する与信確認要求手段と、前記与信確認要求手段によって要求された与信確認の結果情報に基づいて、前記購入商品の受注情報を前記携帯端末装置へ出力する受注確認手段と、前記与信確認要求手段によって要求された与信確認の結果情報に基づいて、前記購入商品の発注情報を前記店舗用端末装置へ出力する発注確認手段と、前記購入商品の注文情報及び前記商品購入者の識別情報に基づいて、前記店舗の商品の販売情報及び前記商品購入者の識別情報の管理及び分析を実行するＰＯＳ代行手段と、を備えていることを特徴とする。
【００２５】
この構成によると、ＰＯＳ代行サービスシステムは、購入手続き情報出力手段によって、携帯端末装置からのアクセス要求に基づいて、店舗において販売されている商品の商品情報を含む購入手続き情報が携帯端末装置へ出力される。また、注文受付手段によって、携帯端末装置から送信された購入商品の注文情報及び商品購入者の識別情報が受け付けられる。また、与信確認要求手段によって、注文受付手段によって受け付けた購入商品の注文情報及び商品購入者の識別情報とともに、商品購入者の与信確認要求が通信キャリア決済システムへ出力される。
【００２６】
また、受注確認手段によって、与信確認要求手段によって要求された与信確認の結果情報に基づいて、購入商品の受注情報が携帯端末装置へ出力され、発注確認手段によって、与信確認要求手段によって要求された与信確認の結果情報に基づいて、購入商品の発注情報が店舗用端末装置へ出力される。また、ＰＯＳ代行手段によって、購入商品の注文情報及び商品購入者の識別情報に基づいて、店舗の商品の販売情報及び商品購入者の識別情報の管理及び分析が実行される。
【００２７】
上述したＰＯＳ代行サービスシステムを電子商取引に利用することにより、上述した本発明の態様にかかる電子商取引システムと同等の効果が得られる。
【００２８】
本発明の第１の態様にかかる電子商取引方法は、通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引方法であって、前記店舗の前記商品情報の出力を前記携帯端末装置から前記ＰＯＳ代行サービスシステムへ要求するサイトアクセス工程と、前記携帯端末装置からのアクセス要求に基づいて、前記店舗において販売されている前記商品の商品情報を含む購入手続き情報を前記ＰＯＳ代行サービスシステムから前記携帯端末装置へ出力する購入手続き情報出力工程と、前記購入手続き情報を出力するとともに、出力された前記購入手続き情報に基づいて入力された購入商品の注文情報、及び前記商品購入者の識別情報を、前記携帯端末装置から前記ＰＯＳ代行サービスシステムへ送信する注文工程と、注文送信工程によって送信された前記注文情報及び前記識別情報を、前記ＰＯＳ代行サービスシステムが受け付ける注文受付工程と、前記購入商品の注文情報及び前記商品購入者の識別情報とともに、前記商品購入者の与信確認要求を、前記ＰＯＳ代行サービスシステムから前記通信キャリア決済システムへ出力する与信確認要求工程と、前記購入商品の注文情報及び前記商品購入者の識別情報に基づいて、前記商品購入者の与信確認を実行し、与信確認の結果情報を前記通信キャリア決済システムから前記ＰＯＳ代行サービスシステムへ出力する与信確認結果出力工程と、前記与信確認の結果情報に基づいて、前記購入商品の受注情報を前記ＰＯＳ代行サービスシステムから前記携帯端末装置へ出力する受注確認工程と、前記購入商品の受注情報を前記携帯端末装置が出力する受注情報出力工程と、前記与信確認の結果情報に基づいて、前記購入商品の発注情報を前記ＰＯＳ代行サービスシステムから前記店舗用端末装置へ出力する発注確認工程と、前記購入商品の発注情報を前記店舗用端末装置が出力する発注情報出力工程と、前記購入商品の注文情報及び前記商品購入者の識別情報に基づいて、前記店舗の商品の販売情報及び前記商品購入者の識別情報の管理及び分析を実行するＰＯＳ代行工程と、前記購入商品の注文情報及び前記商品購入者の識別情報に基づいて、前記購入商品の料金を前記通信料金に課金して、前記購入商品の料金の決済を実行する決済工程と、を備えていることを特徴とする。
【００２９】
これにより、上述した本発明の態様にかかる電子商取引システムと同等の効果が得られる。
【００３０】
本発明の第１の態様にかかるプログラムは、通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引の処理をコンピュータに実行させるプログラムであって、上述した本発明の態様にかかる電子商取引システムの各手段を実現させる処理を前記コンピュータに実行させることを特徴とする。
【００３１】
この構成によると、コンピュータによってプログラムが読み取られ、読み取られたプログラムによって、コンピュータが処理を実行すると、上述した本発明の態様にかかる電子商取引システムと同等の作用及び効果が得られる。
【発明の効果】
【００３２】
本発明によれば、店舗は、電子バリューを受け取る装置を設置するとともに、設置した装置を利用可能なＰＯＳシステムや、既存のＰＯＳシステムを利用する必要がなくなり、ＰＯＳシステムの構築及び運用に掛かるコストを削減することが可能である。また、店舗は、店舗の商品の販売情報及び商品購入者の識別情報の管理及び分析を代行して専門的に実行してもらうことにより、きめ細かな顧客サービスを実行することが可能である。また、店舗は、代金不払い等のリスクを負うことなく、商品の販売収入を確実に得ることが可能である。また、商品購入者は、電子バリューを蓄積可能な携帯電話等に限定することなく、現在使用の携帯電話等を利用して、商品を購入することが可能である。
【発明を実施するための最良の形態】
【００３３】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なもので置換した実施態様を採用することが可能であり、これらの実施態様も本発明の範囲に含まれる。
【００３４】
図１は、本発明を適用可能な電子商取引システムの全体構成を示す図の一例である。図１に示すように、電子商取引システム１０は、ＰＯＳ代行サーバ１２、携帯電話１４、店舗用端末装置１６及び通信キャリア決済システム１８を備え、通信ネットワーク２０を介して、接続されている。ここで、図では、携帯電話１４、店舗用端末装置１６及び通信キャリア決済システム１８は、それぞれ１つしか記載されていないが、それぞれ複数個接続されていても良い。店舗用端末装置１６は、店舗本部もしくは実際の店舗、例えば、飲食店、雑貨店等に設置されている、パーソナルコンピュータ、プリンタ、モニタ等で、少なくとも商品購入者によって注文された商品の発注情報を出力することが可能な装置である。また、通信キャリア決済システム１８は、携帯電話１４の通信キャリアが金融機関等を利用した決済システムである。また、通信ネットワーク２０は、携帯電話回線網、インターネット等からなる通信網である。以下、店舗として、飲食店Ａを例に挙げて説明する。
【００３５】
ＰＯＳ代行サーバ１２は、飲食店Ａポータルサイトを利用して、飲食店Ａにおいて扱われている商品の商品情報を提供する。商品購入者は、飲食店Ａにおいて商品ｂを購入したい場合、携帯電話１４よりＰＯＳ代行サーバ１２の飲食店Ａポータルサイトへアクセスし、購入手続き情報に従って商品ｂの注文を実行する。ＰＯＳ代行サーバ１２は、注文された商品ｂと携帯電話１４を利用する商品購入者の識別情報（例えば、携帯電話番号）に基づいて、通信キャリア決済システム１８に与信確認を依頼し、通信キャリア決済システム１８より与信確認結果を受信する。
【００３６】
ＰＯＳ代行サーバ１２は、与信確認の結果により携帯電話１４の通信料金に商品ｂの料金を課金可能な場合は、商品ｂの受注した情報を携帯電話１４へ送信するとともに、商品ｂの発注情報を店舗用端末装置１６へ送信する。飲食店Ａは、発注情報に基づいて、商品ｂを用意し、商品購入者へ商品ｂを渡す。通信キャリア決済システム１８により、商品ｂの料金は、携帯電話１４の通話料金に課金されて、携帯電話１４の利用者である商品購入者に請求され、支払い手続きが実行される。また、通信キャリア決済システム１８により、飲食店Ａへ商品ｂの料金の支払い手続きが実行される。
【００３７】
次に、図２から図５を参照して、ＰＯＳ代行サーバ１２、携帯電話１４、店舗用端末装置１６及び通信キャリア決済システム１８の機能を説明する。
【００３８】
図２は、ＰＯＳ代行サーバ１２の機能ブロック図の一例である。図２に示すように、ＰＯＳ代行サーバ１２は、購入手続き情報出力部３２、注文受付部３４、与信確認要求部３６、受注確認部３８、発注確認部４０及びＰＯＳ代行部４２を備えている。
【００３９】
購入手続き情報出力部３２は、携帯電話１４からの飲食店Ａポータルサイトへのアクセス要求に基づいて、飲食店Ａにおいて販売されている商品の商品情報を含む購入手続き情報を携帯電話１４へ出力する。
【００４０】
注文受付部３４は、購入手続き情報に基づいて入力された購入商品の注文情報と商品購入者の識別情報を、携帯電話１４から受け付ける。商品購入者の識別情報は、例えば、携帯電話番号、顧客ＩＤ番号等であり、通信キャリアに登録している携帯電話１４の利用者を特定する情報である。また、購入商品の注文情報とは、購入商品を特定する情報、購入商品の個数、購入商品と商品購入者とを対応付ける購入者特定情報等である。購入者特定情報は、例えば、テーブル番号、携帯電話番号、手続き番号等である。
【００４１】
与信確認要求部３６は、注文受付部３４によって受け付けた購入商品の注文情報及び商品購入者の識別情報とともに、商品購入者の与信確認要求を通信キャリア決済システム１８へ出力し、通信キャリア決済システム１８に与信確認の実行を要求する。受注確認部３８は、通信キャリア決済システム１８において実行された与信確認の結果、商品購入者が購入商品の代金を支払うことが可能であると判断されたときに、注文された商品を受注したことを示す購入商品の受注情報を携帯電話１４へ出力する。また、商品購入者が購入商品の代金を支払うことが不可能であると判断されたときに、注文された商品を受注できなかったことを示す購入商品の受注情報を携帯電話１４へ出力する。
【００４２】
発注確認部４０は、通信キャリア決済システム１８において実行された与信確認の結果、商品購入者が購入商品の代金を支払うことが可能であると判断されたときに、注文された商品の発注を示す購入商品の発注情報を店舗用端末装置１６へ出力する。ＰＯＳ代行部４２は、購入商品の注文情報及び商品購入者の識別情報に基づいて、飲食店Ａの商品の販売情報及び商品購入者の識別情報の管理及び分析を実行する。
【００４３】
また、図には記載されていないが、ＰＯＳ代行サーバ１２は、レシート処理部及び販売分析部を備えることも可能である。レシート処理部は、携帯電話１４からの要求に基づいて、購入商品のレシート及び領収書の少なくとも１つのレシート出力情報とともに、購入商品のレシート及び領収書の少なくとも１つの出力を店舗用端末装置１６へ要求する。販売分析部は、店舗用端末装置１６からの要求に基づいて、ＰＯＳ代行部４２によって、飲食店Ａの商品の販売情報、商品購入者の識別情報及び分析した結果情報を、店舗用端末装置１６へ出力する。
【００４４】
図３は、携帯電話１４の機能ブロック図の一例である。図３に示すように、携帯電話１４は、サイトアクセス部４４、注文部４６及び受注情報出力部４８を備えている。
【００４５】
サイトアクセス部４４は、飲食店Ａの商品情報を提供しているＰＯＳ代行サーバ１２の飲食店Ａポータルサイトへアクセスし、飲食店Ａの商品情報の出力を要求する。例えば、携帯電話１４の文字入力機能を利用してアドレスを入力して飲食店Ａポータルサイトへアクセスしたり、ＱＲコード等のバーコードを読み込む機能を利用して飲食店Ａポータルサイトへアクセスしたりする。
【００４６】
注文部４６は、ＰＯＳ代行サーバ１２から受信した購入手続き情報に基づいて、購入商品の注文情報及び商品購入者の識別情報を携帯電話１４の文字入力機能を利用して入力し、入力された購入商品の注文情報及び商品購入者の識別情報をＰＯＳ代行サーバ１２へ送信する。受注情報出力部４８は、ＰＯＳ代行サーバ１２より受信した注文商品の受注情報を出力する。
【００４７】
また、図には記載されていないが、携帯電話１４は、レシート要求部を備えることも可能である。レシート要求部は、購入商品のレシート及び領収書の少なくとも１つの出力をＰＯＳ代行サーバ１２へ要求する。
【００４８】
図４は、店舗用端末装置１６の機能ブロック図の一例である。図４に示すように、店舗用端末装置１６は、発注情報出力部５０を備えている。発注情報出力部５０は、ＰＯＳ代行サーバ１２より受信した商品購入者によって注文された商品の発注情報を出力する。また、図には記載されていないが、店舗用端末装置１６は、レシート出力部、販売分析要求部及び販売分析出力部を備えることも可能である。
【００４９】
レシート出力部は、ＰＯＳ代行サーバ１２より受信したレシート出力情報に基づいて、購入商品のレシート及び領収書の少なくとも１つを出力する。販売分析要求部は、ＰＯＳ代行サーバ１２のＰＯＳ代行部４２によって、飲食店Ａの商品の販売情報、商品購入者の識別情報及び分析された結果情報の出力を要求する。販売分析出力部は、ＰＯＳ代行サーバ１２より受信した飲食店Ａの商品の販売情報、商品購入者の識別情報及び分析した結果情報を出力する。
【００５０】
図５は、通信キャリア決済システム１８の機能ブロック図の一例である。図５に示すように、通信キャリア決済システム１８は、与信確認結果出力部５２及び決済部５４を備えている。与信確認結果出力部５２は、ＰＯＳ代行サーバ１２より受信した購入商品の注文情報及び商品購入者の識別情報に基づいて、商品購入者の与信確認を実行し、与信確認の結果情報をＰＯＳ代行サーバ１２へ出力する。即ち、購入商品の注文情報及び商品購入者の識別情報に基づいて、商品購入者が購入商品の代金を支払うことが可能か否かを判定し、判定した結果をＰＯＳ代行サーバ１２へ出力する。
【００５１】
決済部５４は、購入商品の注文情報及び商品購入者の識別情報に基づいて、購入商品の代金を通信料金に課金して、購入商品の代金の決済を実行する。即ち、購入商品の代金を通信料金に課金して商品購入者に請求し、予め契約している通信料金の決済方法によって、購入商品の代金を支払う手続きを実行する。また、購入商品の注文情報に含まれている飲食店Ａの指定する金融機関への購入商品の代金の支払い手続きを実行する。
【００５２】
次に、図６から図１０を参照して、電子商取引システム１０を構成しているＰＯＳ代行サーバ１２、携帯電話１４、店舗用端末装置１６及び通信キャリア決済システム１８の各装置間における電子商取引手順及び基本となる通信データを説明する。
【００５３】
図６は、電子商取引システム１０による電子商取引手順を説明するための図である。図６に示すように、まず、飲食店Ａにおいて販売されている商品ｂを購入したい場合は商品購入者が利用している携帯電話１４からＰＯＳ代行サーバ１２の飲食店Ａポータルサイトへアクセスし、飲食店Ａポータルサイトによって提供されている、飲食店Ａの商品ｂの商品情報を取得し、商品ｂの注文情報をＰＯＳ代行サーバ１２へ送信する（図中（１））。このとき、注文情報の基本となる通信データは、商品ｂを特定する情報、商品ｂの個数及び商品ｂと商品購入者とを対応付ける購入者特定情報である。また、携帯電話１４からＰＯＳ代行サーバ１２へアクセスすることにより、携帯電話１４の電話番号が携帯電話１４からＰＯＳ代行サーバ１２へ送信される。
【００５４】
図７は、携帯電話１４による注文情報の入力表示画面の一例を示す図である。図７に示すように、テーブルＮｏ．入力エリア６２は、購入者特定情報の入力エリアであり、入力された情報により、商品ｂと商品購入者とを対応付ける。例えば、１４と入力された場合は、テーブルＮｏ．が１４のテーブルにいる商品購入者に商品ｂを渡す。商品選択エリア６４ａ〜ｃは、購入する商品を選択するとともに、商品の購入個数を入力する。例えば、商品選択エリア６４ｂに２を入力することにより商品ｂを２個注文することになる。商品選択エリア６４ａ〜ｃに入力されると注文商品の合計の代金が計算されて、表示エリア６６に表示される。表示されている、購入者特定情報、注文商品及びその個数の情報の確認を入力エリア６８によって選択させることにより、購入商品の注文情報の入力を終了する。
【００５５】
図６に戻り、次に、ＰＯＳ代行サーバ１２は、通信キャリア決済システム１８へ商品購入者の与信確認を依頼する（図中（２））。このとき、与信確認のための情報の基本となる通信データは、商品購入者の利用している携帯電話１４の携帯電話番号及び購入商品の合計金額である。次に、通信キャリア決済システム１８は、与信確認した結果をＰＯＳ代行サーバ１２へ送信する（図中（３））。このとき、与信確認の結果情報の基本となる通信データは、商品購入者の利用している携帯電話１４の携帯電話番号及び確認結果情報である。
【００５６】
図８は、ＰＯＳ代行サーバ１２において管理している基本的な情報を示す図の一例である。図８に示すように、携帯電話１４より受け付けた購入商品の注文情報及び商品購入者の識別情報、並びに、通信キャリア決済システム１８への与信確認の結果情報が管理されている。例えば、飲食店Ａの商品ｂが２個注文された場合、管理情報７０には、飲食店Ａの名前と店舗識別情報（店舗コード／名）、商品ｂが注文された時間（オーダー時間）、商品ｂの名前と商品識別情報（商品コード／名）、商品ｂの個数（数量）、商品ｂの合計代金（売上金額）、商品ｂを注文した商品購入者の識別情報（携帯電話番号）、購入商品と商品購入者とを対応付ける購入者特定情報（テーブルＮｏ．）及び与信確認の状態情報（与信状態）が、それぞれ、「１１１飲食店Ａ」、「２００５０６１１５３２」、「０１１商品ｂ」、「２」、「６００」、「０９０−Ｅ−Ｆ」、「１４」及び「ＯＫ」であるとして、ＰＯＳ代行サーバ１２の記憶部において記憶され管理される。
【００５７】
図６に戻り、次に、ＰＯＳ代行サーバ１２は、通信キャリア決済システム１８より受信した与信確認の結果情報に基づいて、購入商品の受注情報を携帯電話１４へ出力する（図中（４））。即ち、商品購入者が購入商品の代金を支払うことが可能であると判断されたときに、注文された商品を受注したことを示す購入商品の受注情報を、商品購入者が購入商品の代金を支払うことが不可能であると判断されたときに、注文された商品を受注できなかったことを示す購入商品の受注情報を携帯電話１４へ出力する。このとき、受注情報の基本となる通信データは、店舗名、購入商品名、購入商品の個数、及び購入商品の合計代金である。
【００５８】
図９は、商品購入者が購入商品の代金を支払うことが可能であると判断されたときに、携帯電話１４に出力される購入商品の受注情報の表示画面の一例を示す図である。図９に示すように、飲食店Ａの名前と店舗識別情報（店舗コード／名）、商品ｂが注文された時間（オーダー時間）、商品ｂの名前（商品名）、商品ｂの個数（数量）、商品ｂの合計代金（金額）、及び購入商品と商品購入者とを対応付ける購入者特定情報（テーブルＮｏ．）が出力される。
【００５９】
図６に戻り、次に、ＰＯＳ代行サーバ１２は、通信キャリア決済システム１８より受信した与信確認の結果情報に基づいて、注文された商品の発注を示す購入商品の発注情報を店舗用端末装置１６へ出力する（図中（５））。即ち、商品購入者が購入商品の代金を支払うことが可能であると判断されたときに、注文された商品の発注を示す購入商品の発注情報を店舗用端末装置１６へ出力する。このとき、発注情報の基本となる通信データは、商品名、商品の個数、受注時間、及びオーダー時間、商品コード／名、数量、及び購入商品と商品購入者とを対応付ける購入者特定情報である。
【００６０】
図１０は、店舗用端末装置１６に出力される購入商品の発注情報の表示画面の一例を示す図である。図１０に示すように、商品ｂが注文された時間（オーダー時間）、商品ｂの名前（商品コード／名）、商品ｂの個数（数量）、及び購入商品と商品購入者とを対応付ける購入者特定情報（テーブルＮｏ．）が出力される。
【００６１】
図６に戻り、次に、通信キャリア決済システム１８は、購入商品の注文情報及び商品購入者の識別情報に基づいて、購入商品の代金を通信料金に課金して、購入商品の代金の決済を実行する。即ち、購入商品の代金を通信料金に課金して商品購入者に請求し、予め契約している通信料金の決済方法によって、購入商品の代金を支払う手続きを実行する（図中（６））。最後に、通信キャリア決済システム１８は、購入商品の注文情報に含まれている飲食店Ａの指定する金融機関への購入商品の代金の支払い手続きを実行し（図中（７））、電子商取引を終了する。尚、実際に、（６）及び（７）の通信は、携帯電話１４や店舗用端末装置１６と通信キャリア決済システム１８とが通信するのではなく、商品購入者の口座が存在する金融機関のシステムや飲食店Ａの口座が存在する金融機関のシステムと通信キャリア決済システム１８とが通信する。
【００６２】
尚、上述した図６の電子商取引手順に示す処理を実行する場合に、電子商取引システム１０を構成するＰＯＳ代行サーバ１２、携帯電話１４、店舗用端末装置１６及び通信キャリア決済システム１８のＲＯＭに予め格納されている制御プログラムを実行して、各工程を実行させる。
【００６３】
上述したように、電子商取引システム１０に、ＰＯＳ代行サーバ１２、携帯電話１４、店舗用端末装置１６及び通信キャリア決済システム１８を備え、更に、ＰＯＳ代行サーバ１２に、購入手続き情報出力部３２、注文受付部３４、与信確認要求部３６、受注確認部３８、発注確認部４０及びＰＯＳ代行部４２を備え、携帯電話１４に、サイトアクセス部４４、注文部４６及び受注情報出力部４８を備え、店舗用端末装置１６に発注情報出力部５０を備え、通信キャリア決済システム１８に、与信確認結果出力部５２及び決済部５４を備えることにより、店舗は、電子バリューを受け取る装置を設置するとともに、設置した装置を利用可能なＰＯＳシステムや、既存のＰＯＳシステムを利用する必要がなくなり、ＰＯＳシステムの構築及び運用に掛かるコストを削減することが可能である。また、店舗は、店舗の商品の販売情報及び商品購入者の識別情報の管理及び分析を代行して専門的に実行してもらうことにより、きめ細かな顧客サービスを実行することが可能である。また、店舗は、代金不払い等のリスクを負うことなく、商品の販売収入を確実に得ることが可能である。また、商品購入者は、電子バリューを蓄積可能な携帯電話等に限定することなく、現在使用の携帯電話等を利用して、商品を購入することが可能である。
【００６４】
上述の実施の形態の電子商取引システム１０において、ＰＯＳ代行サーバ１２は本発明のＰＯＳ代行サービスシステムに対応し、携帯電話１４は本発明の携帯端末装置に対応し、店舗用端末装置１６は本発明の店舗用端末装置に対応し、通信キャリア決済システム１８は本発明の、通信キャリア決済システムに対応する。
【００６５】
また、ＰＯＳ代行サーバ１２の購入手続き情報出力部３２は本発明のＰＯＳ代行サービスシステムの購入手続き情報出力手段及び購入手続き情報出力工程に対応し、ＰＯＳ代行サーバ１２の注文受付部３４は本発明のＰＯＳ代行サービスシステムの注文受付手段及び注文受付工程に対応し、ＰＯＳ代行サーバ１２の与信確認要求部３６は本発明のＰＯＳ代行サービスシステムの与信確認要求手段及び与信確認要求工程に対応し、ＰＯＳ代行サーバ１２の受注確認部３８は本発明のＰＯＳ代行サービスシステムの受注確認手段及び受注確認工程に対応し、ＰＯＳ代行サーバ１２の発注確認部４０は本発明のＰＯＳ代行サービスシステムの発注確認手段及び発注確認工程に対応し、ＰＯＳ代行サーバ１２のＰＯＳ代行部４２は本発明のＰＯＳ代行サービスシステムのＰＯＳ代行手段及びＰＯＳ代行工程に対応する。
【００６６】
また、携帯電話１４のサイトアクセス部４４は本発明の携帯端末装置のサイトアクセス手段及びサイトアクセス工程に対応し、携帯電話１４の注文部４６は本発明の携帯端末装置の注文手段及び注文工程に対応し、携帯電話１４の受注情報出力部４８は本発明の携帯端末装置の受注情報出力手段及び受注情報出力工程に対応する。また、店舗用端末装置１６の発注情報出力部５０は本発明の店舗用端末装置の発注情報出力手段及び発注情報出力工程に対応する。
【００６７】
また、通信キャリア決済システム１８の与信確認結果出力部５２は、本発明の通信キャリア決済システムの与信確認結果出力手段及び与信確認結果出力工程に対応し、通信キャリア決済システム１８の決済部５４は、本発明の通信キャリア決済システムの決済手段及び決済工程に対応する。
【００６８】
また、上述した図６の電子商取引手順に示す処理を実行する場合に、電子商取引システム１０を構成するＰＯＳ代行サーバ１２、携帯電話１４、店舗用端末装置１６及び通信キャリア決済システム１８のＲＯＭに予め格納されている制御プログラムを実行して、各工程を実行させるようにしたが、これらの各工程を実行させるプログラムを記録した情報記録媒体から、そのプログラムをＲＡＭに読み込んで実行するようにしても良い。
【００６９】
ここで、情報記録媒体とは、ＲＡＭ、ＲＯＭ等の半導体記録媒体、ＦＤ、ＨＤ等の磁気記憶型記録媒体、ＣＤ、ＣＤＶ、ＬＤ、ＤＶＤ等の光学的読取方式記録媒体、ＭＯ等の磁気記憶型／光学的読取方式記録媒体であって、電子的、磁気的、光学等の読み取り方法のいかんにかかわらず、コンピュータによって読み取り可能な情報記録媒体であれば、あらゆる情報記録媒体を含むものである。また、プログラムを、ネットワークを経由してダウンロードして実行するようにしても良い。
【図面の簡単な説明】
【００７０】
【図１】本発明を適用可能な電子商取引システムの全体構成を示す図の一例である。
【図２】ＰＯＳ代行サーバ１２の機能ブロック図の一例である。
【図３】携帯電話１４の機能ブロック図の一例である。
【図４】店舗用端末装置１６の機能ブロック図の一例である。
【図５】通信キャリア決済システム１８の機能ブロック図の一例である。
【図６】電子商取引システム１０による電子商取引手順を説明するための図である。
【図７】携帯電話１４による注文情報の入力表示画面の一例を示す図である。
【図８】ＰＯＳ代行サーバ１２において管理している基本的な情報を示す図の一例である。
【図９】商品購入者が購入商品の代金を支払うことが可能であると判断されたときに、携帯電話１４に出力される購入商品の受注情報の表示画面の一例を示す図である。
【図１０】店舗用端末装置１６に出力される購入商品の発注情報の表示画面の一例を示す図である。
【符号の説明】
【００７１】
１０    電子商取引システム
１２    ＰＯＳ代行サーバ
１４    携帯電話
１６    店舗用端末装置
１８    通信キャリア決済システム
２０    通信ネットワーク
３２    購入手続き情報出力手段
３４    注文受付手段
３６    与信確認要求手段
３８    受注確認手段
４０    発注確認手段
４２    ＰＯＳ代行手段
【図１】
0004552807.tif 000002
【図２】
0004552807.tif 000003
【図３】
0004552807.tif 000004
【図４】
0004552807.tif 000005
【図５】
0004552807.tif 000006
【図６】
0004552807.tif 000007
【図７】
0004552807.tif 000008
【図８】
0004552807.tif 000009
【図９】
0004552807.tif 000010
【図１０】
0004552807.tif 000011